(57)【要約】【課題】石炭と木質バイオマスのような性状の異なる被粉砕物を大きな改造無しで運用できる兼用の竪型ローラミルの提供。【解決手段】円筒状のハウジング２と、ハウジング２の中心部に被粉砕物を供給するシュート３と、シュート３の下方に設けられて被粉砕物を粉砕する粉砕部４と、粉砕部４の上方に設けられた回転分級機５と、粉砕部４で粉砕された粉砕物を回転分級機５に輸送する気流を形成する輸送機構６と、を有する竪型ローラミル１であって、回転分級機５を取り囲む筒状の整流部材２０と、整流部材２０の内側と外側のいずれか一方側に形成された気流の上昇流を他方側に導き、気流の下降流を形成するリターン流路１５と、リターン流路１５を開閉する開閉装置５０と、を有する、という構成を採用する。【選択図】図１
2019000769.tif 000002
【特許請求の範囲】
【請求項１】
円筒状のハウジングと、前記ハウジングの中心部に被粉砕物を供給するシュートと、前記シュートの下方に設けられて前記被粉砕物を粉砕する粉砕部と、前記粉砕部の上方に設けられた回転分級機と、前記粉砕部で粉砕された粉砕物を前記回転分級機に輸送する気流を形成する輸送機構と、を有する竪型ローラミルであって、
前記回転分級機を取り囲む筒状の整流部材と、
前記整流部材の内側と外側のいずれか一方側に形成された前記気流の上昇流を他方側に導き、前記気流の下降流を形成するリターン流路と、
前記リターン流路を開閉する開閉装置と、を有する、ことを特徴とする竪型ローラミル。
【請求項２】
前記被粉砕物として、木質バイオマスが前記シュートから供給された場合には、前記開閉装置は、前記リターン流路を閉じ、
前記被粉砕物として、石炭が前記シュートから供給された場合には、前記開閉装置は、前記リターン流路を開く、ことを特徴とする請求項１に記載の竪型ローラミル。
【請求項３】
前記粉砕部と前記整流部材との間に、前記気流の流路面積を絞る縮流流路を有し、
前記縮流流路は、前記ハウジングの中心部に設けられた第１の縮流リングと、前記ハウジングからその中心部に向かって突出して設けられた第２の縮流リングと、の間に形成されている、ことを特徴とする請求項１または２に記載の竪型ローラミル。
【請求項４】
前記粉砕部と前記整流部材との間において前記ハウジングの内壁から突出し、上昇する前記気流を前記整流部材の内側に導く気流誘導部を有する、ことを特徴とする請求項１〜３のいずれか一項に記載の竪型ローラミル。
【請求項５】
前記粉砕部と前記整流部材との間において前記ハウジングの内壁から突出し、前記整流部材の外側を下降する前記気流に含まれる前記粉砕物を前記粉砕部に導く粉砕物誘導部を有する、ことを特徴とする請求項１〜４のいずれか一項に記載の竪型ローラミル。
【発明の詳細な説明】
【技術分野】
【０００１】
本発明は、竪型ローラミルに関するものである。
【背景技術】
【０００２】
従来、微粉炭やセメントなどの被粉砕物を所望の粒子径に粉砕し、分級する装置として、竪型ローラミルが知られている。この竪型ローラミルは、粉砕部で被粉砕物を粉砕し、この粉砕物を気流に乗せて上昇させ、上昇した粉砕物を粉砕部の上方に設けられた分級機で分級するものである。このような竪型ローラミルにあっては、気流に混在させる粒子（粉砕物）を粒子径によって分類するための分級性能が重要となる。
【０００３】
竪型ローラミルに用いられる分級機として、垂直方向の軸を中心に回転する翼列を利用した回転分級機がある。この回転分級機における粒子を分級する原理は、粒子にガス流れが当たることによって作用する流体抗力と回転分級羽根の回転に伴って生じる旋回挙動によって作用する遠心力との差し引きによって粒子が回転分級羽根を通過できるかどうかで分級が行われる遠心分離と、粒子が回転分級羽根の表面に衝突してはじき出される衝突分級があると言われている。
【０００４】
従来技術では、回転分級機の形状やガス流れの流入方向を制御する等の工夫をすることによって分級性能を高めている。例えば、下記特許文献１では、回転分級機の周りにガイドコーンと称される逆円錐状の構造物でミル内部を区分し、ミル内部の外周を吹き上がる上昇流とミル中央部付近を下降する循環流れを形成している。これにより、ミル内部の外周を吹き上がる気流を偏向させて、粒子を回転分級羽根に向かう方向に流し、また、分級した粒子（粗粒子）をガイドコーンの内側を通って落下させ、再粉砕を行う。
【先行技術文献】
【特許文献】
【０００５】
【特許文献１】特開２００９−１８９９０９号公報
【発明の概要】
【発明が解決しようとする課題】
【０００６】
しかしながら、従来技術には、次のような問題がある。
従来技術では、分級した粒子を粉砕テーブル中央に戻すために逆円錐状のガイドコーンを設けており、その外側に上昇流を流し、その内側に下降流を形成している。この構成においては、回転分級機を通過できない粗粒子を受け止め、ミル中央部へ寄せて回転テーブルまで戻すことができる。
近年、二酸化炭素の排出量の削減等の観点から、石炭焚火力発電所において木質バイオマスを燃料として使用する技術が望まれている。石炭と比較して、木質バイオマスは繊維質のため、細かくなりにくい特徴があるが、１ｍｍ程度の粒径で数十μｍの石炭（微粉炭）と同程度の燃焼性を示すことが分かっており、細かく粉砕せずに、粗い状態で竪型ローラミルから排出することができれば、粉砕容量を上げることができる。
しかしながら、木質バイオマスは繊維質であるため、上記従来技術の石炭ミルをそのまま使用した場合、ガイドコーンの内側に粗粒子が堆積してしまうことが懸念される。このため、木質バイオマスを粉砕する場合には、ガイドコーンを取り外すなどの改造が必要となり、燃料の切り替え毎に運転を停止しなければならず、発電できない時間が延びてしまう、という問題がある。
【０００７】
本発明は、上記問題点に鑑みてなされたものであり、石炭と木質バイオマスのような性状の異なる被粉砕物を大きな改造無しで運用できる兼用の竪型ローラミルの提供を目的とする。
【課題を解決するための手段】
【０００８】
上記の課題を解決するために、本発明は、円筒状のハウジングと、前記ハウジングの中心部に被粉砕物を供給するシュートと、前記シュートの下方に設けられて前記被粉砕物を粉砕する粉砕部と、前記粉砕部の上方に設けられた回転分級機と、前記粉砕部で粉砕された粉砕物を前記回転分級機に輸送する気流を形成する輸送機構と、を有する竪型ローラミルであって、前記回転分級機を取り囲む筒状の整流部材と、前記整流部材の内側と外側のいずれか一方側に形成された前記気流の上昇流を他方側に導き、前記気流の下降流を形成するリターン流路と、前記リターン流路を開閉する開閉装置と、を有する、という構成を採用する。
【０００９】
また、本発明においては、前記被粉砕物として、木質バイオマスが前記シュートから供給された場合には、前記開閉装置は、前記リターン流路を閉じ、前記被粉砕物として、石炭が前記シュートから供給された場合には、前記開閉装置は、前記リターン流路を開く、という構成を採用する。
【００１０】
また、本発明においては、前記粉砕部と前記整流部材との間に、前記気流の流路面積を絞る縮流流路を有し、前記縮流流路は、前記ハウジングの中心部に設けられた第１の縮流リングと、前記ハウジングからその中心部に向かって突出して設けられた第２の縮流リングと、の間に形成されている、という構成を採用する。
【００１１】
また、本発明においては、前記粉砕部と前記整流部材との間において前記ハウジングの内壁から突出し、上昇する前記気流を前記整流部材の内側に導く気流誘導部を有する、という構成を採用する。
【００１２】
また、本発明においては、前記粉砕部と前記整流部材との間において前記ハウジングの内壁から突出し、前記整流部材の外側を下降する前記気流に含まれる前記粉砕物を前記粉砕部に導く粉砕物誘導部を有する、という構成を採用する。
【発明の効果】
【００１３】
本発明によれば、石炭と木質バイオマスのような性状の異なる被粉砕物を大きな改造無しで運用できる兼用の竪型ローラミルが得られる。
【図面の簡単な説明】
【００１４】
【図１】本発明の実施形態における石炭を粉砕するときの様子を示す竪型ローラミル１の概略構成図である。
【図２】本発明の実施形態における木質バイオマスを粉砕するときの様子を示す竪型ローラミル１の概略構成図である。
【図３】本発明の実施形態における開閉装置５０の構成を示す（ａ）斜視図、（ｂ）平面断面模式図である。
【図４】本発明の実施形態の一変形例における開閉装置５０Ａの構成を示す斜視図である。
【図５】本発明の実施形態の一変形例における開閉装置５０Ｂの構成を示す斜視図である。
【図６】本発明の実施形態の一変形例における開閉装置５０Ｃの構成を示す斜視図である。
【発明を実施するための形態】
【００１５】
以下、本発明の実施形態について図面を参照して説明する。
【００１６】
図１は、本発明の実施形態における石炭を粉砕するときの様子を示す竪型ローラミル１の概略構成図である。図２は、本発明の実施形態における木質バイオマスを粉砕するときの様子を示す竪型ローラミル１の概略構成図である。
本実施形態の竪型ローラミル１は、被粉砕物を粉砕し、所望の粒径の粉砕物を分級し、気流に乗せて排出するものである。図１に示す符号Ｃは、石炭（被粉砕物）を示し、粉砕物を示し、符号Ｆは気流を示す。また、図２に示す符号Ｐは、ペレット状に固めた木質バイオマス（被粉砕物）を示し、符号Ｆは気流を示す。
【００１７】
図１及び図２に示すように、竪型ローラミル１は、円筒状のハウジング２と、ハウジング２の中心部に被粉砕物を供給するシュート３と、シュート３の下方に設けられて被粉砕物を粉砕する粉砕部４と、粉砕部４の上方に設けられた回転分級機５と、粉砕部４で粉砕された粉砕物を回転分級機５に輸送する気流を形成する輸送機構６と、後述する整流部材２０と、後述する開閉装置５０と、を備えて構成されたものである。
【００１８】
ハウジング２は、鉛直方向に沿って立てられた円筒状のもので、その上端開口を覆う蓋体７を有する。蓋体７には、その中心部に円筒状のシュート３が挿通されている。このシュート３は、鉛直方向に沿って配置されたもので、その上端開口が蓋体７の外側に配置され、下端開口がハウジング２の内部の回転分級機５の下方に配置されたものである。シュート３には、図示しない原料供給装置が接続されており、これによって所定量の被粉砕物が、ハウジング２の内部に供給されるようになっている。
【００１９】
また、蓋体７には、その裏面側に回転分級機５が取り付けられている。回転分級機５は、蓋体７の中心部に設けられた回転ロータに多数枚の回転分級羽根８を周方向に等間隔で配置したもので、駆動装置によって回転ロータを回転させることにより、回転分級羽根８を所定の回転速度で回転させるものである。回転分級羽根８を通過した粉砕物は、ハウジング２の上部に設けられた排出管９から、竪型ローラミル１の外部に排出されるようになっている。
【００２０】
粉砕部４は、ハウジング２の底部に設けられた回転テーブル１１と、この回転テーブル１１上を転動する複数の粉砕ローラ１２と、を備えて構成されたものである。
回転テーブル１１は、水平面上にて比較的低速で回転するよう構成されたものである。
粉砕ローラ１２は、ローラ加圧装置によって回転テーブル１１に圧接させられ、その状態で回転テーブル１１が回転することにより、回転テーブル１１上を転動するものである。
【００２１】
このような構成のもとに粉砕部４は、シュート３から回転テーブル１１の中心部に供給された被粉砕物を、回転テーブル１１の遠心力によってその外周側に移動させ、回転テーブル１１の上面と粉砕ローラ１２との間に噛み込み、圧縮力と剪断力とによって粉砕するようになっている。
【００２２】
輸送機構６は、ハウジング２の底部側面に設けられた空気導入部１３と、この空気導入部１３の導入口１３ａから外部の空気を導入させる空気導入手段とを備えたもので、空気導入手段によって空気を回転テーブル１１の外縁部に案内し、その後、ハウジング２の内部を上昇させて排出管９に流入させるようにしたものである。このような構成のもとに、輸送機構６は、ハウジング２の底部側、すなわち回転テーブル１１側から、ハウジング２の上部側、すなわち排出管９側に向かう気流を生じさせ、この気流に乗せて（同伴させて）、粉砕物を回転分級機５に輸送するようになっている。
【００２３】
上記構成の竪型ローラミル１には、回転分級機５の外側を取り囲む筒状の整流部材２０が設けられている。整流部材２０は、図示しない梁部材によってハウジング２に支持されている。この整流部材２０は、図１に示すように、上昇流を回転分級羽根８に沿う方向に導くものであり、回転分級羽根８と一定の間隔をあけて配置されたガイド面２１を有する。本実施形態の回転分級羽根８は、上方に向かうに従って径方向に広がるように傾斜配置されており、ガイド面２１は、それに対応して逆立ち円錐状（漏斗状）に形成されている。この整流部材２０の上端部２０ａは、回転分級羽根８の全高の半分以上の高さに配置されている。
【００２４】
整流部材２０は、回転分級羽根８の下部８ｂから上部８ａにかけて回転分級羽根８の翼間に気流が流れる流路を形成する。すなわち、ガイド面２１と回転分級羽根８との間隔は、狭く設定することが好ましい。例えば、ガイド面２１は、回転分級羽根８と摺接するような間隔で配置してもよい。整流部材２０は、回転分級羽根８の下端８ｂ１に向かって上昇する気流を誘い込む拡径部２２を有する。回転分級羽根８の下端８ｂ１は、回転分級羽根８の翼間流路の入口を形成する。拡径部２２は、ガイド面２１の下端から下方に延在している。この拡径部２２は、下方に向かうに従って径が漸次大きくなる円錐状に形成されている。
【００２５】
整流部材２０の上端部２０ａと、ハウジング２の隔壁部２ｂとの間には、リターン流路１５が形成されている。ハウジング２の隔壁部２ｂは、水平方向に延在するハウジング２の天井壁であり、回転分級機５を通過する前の空間（粉砕部４側の空間）と、回転分級機５を通過した後の空間（排出管９側の空間）とを、隔てている。リターン流路１５は、整流部材２０の内側に形成された気流の上昇流を整流部材２０の外側に導き気流の下降流を形成するリング状の流路である。
【００２６】
竪型ローラミル１は、粉砕部４と整流部材２０との間においてハウジング２の内壁２ａから突出して設けられた気流誘導部３１と、粉砕物誘導部３２と、を有する。気流誘導部３１は、ハウジング２の内壁２ａに沿って上昇する気流を整流部材２０の内側に導くものである。粉砕物誘導部３２は、整流部材２０の外側を下降する気流に含まれる粉砕物を粉砕部４に導くものである。これら気流誘導部３１及び粉砕物誘導部３２は、後述する第２の縮流リング３０に設けられている。
【００２７】
気流誘導部３１は、第２の縮流リング３０の下側にリング状に設けられると共に斜め上方に傾く傾斜面を有する。一方、粉砕物誘導部３２は、第２の縮流リング３０の上側にリング状に設けられると共に斜め下方に傾く傾斜面を有する。粉砕物誘導部３２は、粉砕物が滑り落ちやすいように気流誘導部３１よりも傾斜角度を大きくしている。このように、第２の縮流リング３０には、気流誘導部３１の斜め上方に傾く傾斜面と、粉砕物誘導部３２の斜め下方に傾く傾斜面とが、上下において背面合せで一体的に設けられている。
【００２８】
上記構成の竪型ローラミル１は、粉砕部４と整流部材２０との間に、気流の流路面積を絞る縮流流路１０を有する。縮流流路１０は、気流の流速を速めて、ハウジング２内に滞留しやすい比較的大きな粉砕物（特に木質バイオマス）の排出性を改善させる。この縮流流路１０は、ハウジング２の中心部に設けられた第１の縮流リング４０と、ハウジング２からその中心部に向かって突出して設けられた第２の縮流リング３０と、の間に形成されている。
【００２９】
第１の縮流リング４０は、シュート３の周囲に設けられている。この第１の縮流リング４０は、回転分級機５の下端からシュート３の下端までの領域に設けられている。第１の縮流リング４０は、シュート３からハウジング２の内壁２ａに向かってハウジング２の半径方向外側に突出（延出）している。
【００３０】
第２の縮流リング３０は、ハウジング２の内壁２ａに設けられている。この第２の縮流リング３０は、ハウジング２の半径方向において、第１の縮流リング４０と対向可能な高さに設けられている。第２の縮流リング３０は、ハウジング２の内壁２ａからシュート３に向かってハウジング２の半径方向内側に突出（延出）している。
【００３１】
第２の縮流リング３０は、第１の縮流リング４０の外径よりも大きな内径を有する。すなわち、第２の縮流リング３０は、ハウジング２の半径方向において、第１の縮流リング４０と隙間をあけて対向する。この隙間が、縮流流路１０となる。本実施形態では、縮流流路１０は、ハウジング２の半径の１／２よりも外側の領域に形成されている。また、第２の縮流リング３０の内径は、ハウジング２の内壁２ａの径よりも小さい。すなわち、縮流流路１０は、ハウジング２の内壁２ａよりも内側の領域に形成されている。
【００３２】
第２の縮流リング３０と対向する第１の縮流リング４０の対向面４２は、フラットに形成されている。第１の縮流リング４０に形成された対向面４２は、回転分級羽根８の下端８ｂ１から鉛直下方に所定距離で垂設されている。なお、第１の縮流リング４０に対向する第２の縮流リング３０の対向部（先端部）にも、粉砕物誘導部３２の下端から鉛直下方に所定距離で垂設されたフラット面（不図示）が、対向面４２と平行に形成されている。第１の縮流リング４０の下部には、第２の縮流リング３０に向かうに従って上方に傾斜する傾斜面４１が形成されている。傾斜面４１は、対向面４２の下端からシュート３の下端まで形成されている。
【００３３】
上記構成の竪型ローラミル１は、リターン流路１５を開閉する開閉装置５０を備えている。開閉装置５０は、整流部材２０の上端部２０ａとハウジング２の隔壁部２ｂとの間に開閉可能に設けられた複数の板状部材５１を有する。図１に示すように、被粉砕物として、石炭Ｃがシュート３から供給された場合には、開閉装置５０は、リターン流路１５を開くようになっている。また、図２に示すように、木質バイオマスＰがシュート３から供給された場合には、開閉装置５０は、リターン流路１５を閉じるようになっている。
【００３４】
図３は、本発明の実施形態における開閉装置５０の構成を示す（ａ）斜視図、（ｂ）平面断面模式図である。なお、図３（ａ）においては、図３（ｂ）に示すリング状に形成されたリターン流路１５の一部（符号Ａで囲まれた領域）を概念的に表現している。
開閉装置５０は、板状部材５１を鉛直方向に延びる軸線回りに回動させる回動軸５２を有する。回動軸５２の下端は、整流部材２０の上端部２０ａに回転可能に支持され、また、回動軸５２の上端は、ハウジング２の隔壁部２ｂに回転可能に支持されている。
【００３５】
このような板状部材５１は、整流部材２０の上端部２０ａに沿って周方向に複数設けられている。複数の板状部材５１は、図示しないリンク機構により外部から開閉操作することが可能とされている。例えば、このようなリンク機構として、可変ベーン機構を採用してもよい。可変ベーン機構は、例えば、回動軸５２の上端に固定したピースのそれぞれをリング部材と係合させ、このリング部材を周方向に回転させることで、リング部材に係合した複数の板状部材５１の開閉角度を調整するものである。
【００３６】
図１及び図２に戻り、このような構成の竪型ローラミル１によって被粉砕物を粉砕し、所望の粒径の粉砕物を分級し排出管９から排出するには、従来と同様にしてシュート３より被粉砕物を供給し、粉砕部４を駆動させるとともに、輸送機構６、回転分級機５をそれぞれ駆動させる。すると、被粉砕物は粉砕部４において粉砕され、微粒子や粗粒子を含む粉砕物となる。
【００３７】
粉砕部４において粉砕された粉砕物は、輸送機構６によって生じさせられた気流に乗せられ、粉砕部４の回転テーブル１１上からハウジング２の上部側に運ばれる。気流は、回転テーブル１１の外縁部を通過する際に、旋回成分が付与され、その遠心力によってハウジング２の内壁２ａに沿って流れるようになり、これによってこの内壁２ａ近傍を上昇するようになる。この気流は、ハウジング２の内壁２ａに沿ってある程度上昇すると、第２の縮流リング３０の下部の気流誘導部３１によって縮流流路１０に導かれる。縮流流路１０は、気流の流路面積を絞ることで流速を上げ、粉砕物の排出性を向上させる。
【００３８】
この気流は、縮流流路１０を通過すると、整流部材２０の内側に導かれる。本実施形態の気流誘導部３１は、ハウジング２の中心部側に突出しているため、内壁２ａに沿って上昇する気流を整流部材２０の内側に導くことができる。整流部材２０は、回転分級機５の外側を取り囲むように設けられており、上昇流を回転分級羽根８に沿う方向に導く。この構成によれば、粉砕物は上昇途中で分級されることとなり、分級前に粗粒子を含む粉砕物の全てを最上部まで吹き上げる必要がなく、輸送機構６の負荷が低減される。整流部材２０の内側では、回転分級羽根８の下部８ｂから上部８ａに亘って粉砕物の分級が行われる。回転分級羽根８を通過した微粒子は、排出管９からハウジング２の外部に排出される。
【００３９】
図１に示すように、被粉砕物として石炭Ｃがシュート３から供給される場合には、リターン流路１５が開閉装置５０によって開かれている。リターン流路１５は、整流部材２０の内側に形成された気流の上昇流を整流部材２０の外側に導き、気流の下降流を形成する。このため、回転分級羽根８を通過しなかった粗粒子は、整流部材２０の上端部２０ａまで到達し、整流部材２０の外側を下降するため、整流部材２０の内側を上昇する気流と分断される。このため、分級された粗粒子が、上昇流によって押し戻されて回転分級機５に何度もアプローチする間に、誤って回転分級羽根８を通過する確率を低減することができる。整流部材２０の外側を下降する粗粒子は、ハウジング２の内壁２ａから突出する粉砕物誘導部３２によって、回転テーブル１１の中央部に戻される。これにより、粗粒子の再度の粉砕工程までにかかる時間を短縮することができる。
【００４０】
一方、図２に示すように、被粉砕物として木質バイオマスＰがシュート３から供給される場合には、リターン流路１５が開閉装置５０によって閉じられている。木質バイオマスＰは、上述したように１ｍｍ程度の粒径で数十μｍの石炭Ｃと同程度の燃焼性を示すことが分かっており。細かく粉砕せずに、粗い状態で竪型ローラミル１から排出することができれば、粉砕容量を上げることができる。よって、リターン流路１５を閉じ、分級された粗粒子を、逆に、上昇流によって押し戻して回転分級機５に何度もアプローチさせることによって、粗粒子の排出性を促進させることができる。また、リターン流路１５を閉じることにより、繊維質の木質バイオマスＰが絡み合って整流部材２０の外側に堆積してしまうことを防止することができる。なお、この場合、粗粒子の排出性を促進させるために、回転分級機５の回転を停止させてもよい。
【００４１】
このように、上述の本実施形態によれば、円筒状のハウジング２と、ハウジング２の中心部に被粉砕物を供給するシュート３と、シュート３の下方に設けられて被粉砕物を粉砕する粉砕部４と、粉砕部４の上方に設けられた回転分級機５と、粉砕部４で粉砕された粉砕物を回転分級機５に輸送する気流を形成する輸送機構６と、を有する竪型ローラミル１であって、回転分級機５を取り囲む筒状の整流部材２０と、整流部材２０の内側に形成された気流の上昇流を整流部材２０の外側に導き、気流の下降流を形成するリターン流路１５と、リターン流路１５を開閉する開閉装置５０と、を有する、という構成を採用することによって、石炭と木質バイオマスのような性状の異なる被粉砕物を大きな改造無しで運用できる兼用の竪型ローラミル１が得られる。
【００４２】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４３】
例えば、本発明の実施形態の一態様として、以下のような変形例を採用し得る。なお、以下の説明において、上述の実施形態と同一又は同等の構成については同一の符号を付し、その説明を簡略若しくは省略する。
【００４４】
図４は、本発明の実施形態の一変形例における開閉装置５０Ａの構成を示す斜視図である。
図４に示す開閉装置５０Ａでは、板状部材５１Ａの回動軸５２Ａが水平方向に延びる軸回りに回転自在に支持されている。この構成によれば、板状部材５１Ａが水平方向に延びる軸回りに回動することで、リターン流路１５が開閉される。
【００４５】
図５は、本発明の実施形態の一変形例における開閉装置５０Ｂの構成を示す斜視図である。
図５に示す開閉装置５０Ｂでは、水平方向に延びる軸回りに回動する板状部材５１Ｂがブラインド状に配置されている。板状部材５１Ｂの回動軸５２Ｂは、図示しないチルトポールやコードなどで角度を調整可能に連結されている。この構成によれば、複数の板状部材５１Ｂが水平方向に延びる軸回りに回動することで、リターン流路１５が開閉される。
【００４６】
図６は、本発明の実施形態の一変形例における開閉装置５０Ｃの構成を示す斜視図である。
図６に示す開閉装置５０Ｃでは、ハウジング２の隔壁部２ｂに、板状部材５１Ｃが挿抜可能な貫通孔２ｂ１が形成されている。この構成によれば、板状部材５１Ｃの貫通孔２ｂ１に対する抜き差しによって、リターン流路１５が開閉される。
【００４７】
また、例えば、上記実施形態では、筒状の整流部材２０の内側に上昇流を形成し、整流部材２０の外側に下降流を形成したが、上述した従来技術のように整流部材２０として逆円錐状のガイドコーンを設けた場合には、ガイドコーンの外側に上昇流を形成し、整流部材２０の内側に下降流を形成する構成であってもよい。
【００４８】
また、例えば、上記実施形態では、被粉砕物として石炭と木質バイオマスを例示したが、例えば、セメントや草系バイオマスなどをペレット状に固めたものを被粉砕物とする竪型ローラミルにも本発明を適用することができる。
【符号の説明】
【００４９】
１  竪型ローラミル
２  ハウジング
２ａ  内壁
３  シュート
４  粉砕部
５  回転分級機
６  輸送機構
１０  縮流流路
１５  リターン流路
２０  整流部材
３０  第２の縮流リング
３１  気流誘導部
３２  粉砕物誘導部
４０  第１の縮流リング
５０  開閉装置
【図１】
2019000769.tif 000003
【図２】
2019000769.tif 000004
【図３】
2019000769.tif 000005
【図４】
2019000769.tif 000006
【図５】
2019000769.tif 000007
【図６】
2019000769.tif 000008